(57)【要約】押圧折畳可能な紙パック容器２０の上部に設けた挿入部３６にストローを刺し込み、該容器を外方から押圧して平坦状に折畳んで内容物を押し出して飲用できる。前記容器の上下を平坦に折り曲げ、上方に位置して左右に突出した三角突部２１を下方に折り曲げて該容器の側面部２５に加熱加工により弱く接着結合する。前記容器の両側面部２５の下方には、底面部２４を底辺にして設けた三角面部の逆Ｖ型折目２７と該頂部２８から上方に垂直方向に縦折目２９を設け、該縦折目２９及び逆Ｖ型折目２７を折畳んで該容器の側面部２５を平坦状に折畳める。前記前面部３０下方に第１水平折目３１また上方に第２水平折目３４を設け、前記上面部の手前側半分および底面部の手前側半分を前面部３０上に平坦状に折畳めるようにする。
2005014430.tif 000002
【特許請求の範囲】
【請求項１】
内面に耐水薄膜を設けた厚紙材を筒状に形成し、その上下端縁を密封し、これを折り曲げて、それぞれ対向する上面部（３５）及び底面部（２４）、前面部（３０）及び後面部（３８）、並びに１対の側面部（２５、２５）を形成すると共に、上方に位置して左右に突出させた三角突部（２１、２１）を側面部（２５、２５）に密着し、下方に位置して左右に突出させた三角突部（２２、２２）を底面部（２４）に密着して方形箱型に成形してなり、前記上面部（３５）にストロー挿入用の挿入部（３６）を設けた紙パック容器であって、前記上方三角突部（２１、２１）を側面部（２５、２５）に加熱加工により弱く接着結合させることを特徴とする紙パック容器。
【請求項２】
内面に耐水薄膜を設けた厚紙材を筒状に形成し、その上下端縁を密封し、これを折り曲げて、それぞれ対向する上面部（３５）及び底面部（２４）、前面部（３０）及び後面部（３８）、並びに１対の側面部（２５、２５）を形成すると共に、上方に位置して左右に突出させた三角突部（２１、２１）を側面部（２５、２５）に密着し、下方に位置して左右に突出させた三角突部（２２、２２）を底面部（２４）に密着して方形箱型に成形してなり、前記上面部（３５）にストロー挿入用の挿入部（３６）を設けた紙パック容器であって、前記上方三角突部（２１、２１）を側面部（２５、２５）にフィルム（４０）で密封包装させることを特徴とする紙パック容器。
【請求項３】
内面に耐水薄膜を設けた厚紙材を筒状に形成し、その上下端縁を密封し、これを折り曲げて、それぞれ対向する上面部（３５）及び底面部（２４）、前面部（３０）及び後面部（３８）、並びに１対の側面部（２５、２５）を形成すると共に、上方に位置して左右に突出させた三角突部（２１、２１）を側面部（２５、２５）に密着し、下方に位置して左右に突出させた三角突部（２２、２２）を底面部（２４）に密着して方形箱型に成形してなり、前記上面部（３５）にストロー挿入用の挿入部（３６）を設けた紙パック容器であって、前記１対の側面部（２５、２５）に、側面部（２５、２５）と底面部（２４）のなす交線である底辺部（２６、２６）を底辺とした二等辺三角形状の三角面部（２７ａ、２７ａ）を画定する逆Ｖ型折目（２７、２７）と、三角面部（２７ａ、２７ａ）の頂部（２８、２８）から上方三角突部（２１、２１）の頂部（２３、２３）に向かって延在する縦折目（２９、２９）とを具えることを特徴とする紙パック容器。
【請求項４】
前記三角面部（２７ａ、２７ａ）の両頂部（２８、２８）を通り、底面部（２４）に平行な第１水平折目（３１）を具えることを特徴とする請求項１〜３のいずれか一項に記載の紙パック容器。
【請求項５】
前記第１水平折目（３１）は、前面部（３０）及び後面部（３８）の少なくとも一方を通ることを特徴とする請求項４に記載の紙パック容器。
【請求項６】
前記第１水平折目（３１）と底面部（２４）との間の距離（ｄ１）が、底面部（２４）の幅（ｗ１）の１／２であることを特徴とする請求項４又は５に記載の紙パック容器。
【請求項７】
前記第１水平折目（３１）から底面部（２４）の幅（ｗ１）の自然数倍の距離を存し、かつ第１水平折目（３１）に平行な少なくとも１本の補助折目（３２）を具えることを特徴とする請求項４〜６のいずれか一項に記載の紙パック容器。
【請求項８】
前記上方三角突部（２１、２１）の両頂部（２３、２３）を通り、上面部（３５）に平行な第２水平折目（３４）を具えることを特徴とする請求項１〜７のいずれか一項に記載の紙パック容器。
【請求項９】
前記第２水平折目（３４）と上面部（３５）との間の距離（ｄ２）が上面部（３５）の幅（ｗ２）の１／２であることを特徴とする請求項８に記載の紙パック容器。
【請求項１０】
前記挿入部（３６）は上面部（３５）の後面部側に設けられており、前記第２水平折目（３４）は前面部（３０）を通ることを特徴とする請求項７又は８に記載の紙パック容器。
【請求項１１】
粘度が１０ｍＰａ・ｓ以上の内容物が充填されていることを特徴とする請求項１〜１０のいずれか一項に記載の紙パック容器。
【請求項１２】
ストロー挿入用の挿入部（３６）を有した押圧変形可能な容器（２０）の該挿入部に着脱可能に装着されるストロー（４ｂ）であって、円管状のベース部（１２）と、前記容器の内面に係止してストローの脱出を防止する係止部（６ａ）と、該係止部に隣接した少なくとも１個の通孔（７ａ）とを有し、該通孔の開口面積の合計がベース部の直径方向断面積と同等以上であることを特徴とするストロー。
【請求項１３】
前記係止部（６ａ）は、その外径が飲み口側から通孔側に向って漸減するテーパー部を有することを特徴とする請求項１２記載のストロー。
【請求項１４】
前記係止部（６ａ）は、テーパー部の最大外径がベース部（１２）の外径とストロー管壁の厚さとの和より小さく、ベース部の外径より大きく設けてあることを特徴とする請求項１２記載のストロー。
【発明の詳細な説明】
【技術分野】  本発明は、紙パック容器に収容されたジュース、清涼飲料水、特に、ゼリー食品等の内容物を、吸引力を使用しないで外部からの押圧で飲用できる押圧変形可能な紙パック容器及びストローに関する。
【背景技術】  図１６に示すように、牛乳、清涼飲料、ジュースなどの各種飲料を収容した紙パック容器１は、内部の各種飲料を飲用するためにストロー３を刺し込む挿入部２を容器の上面部９に設け、該挿入部を覆っている密封膜に先端を刺し込んだストローの上端から飲料を飲用している。ストロー３は、挿入部２に刺し込みやすくするため先端を斜状にし、透明袋５内に収容した状態で容器１の外面に取付けたものが特開２０００−３１３４３５号に示されている。
従来のストロー３は、紙パック容器１の高さより長く形成し、該容器の外側に斜めに取付け、挿入部２に挿入した先端は容器の底部に届く長さを有し、内容物の液面が下がってもストローの先端は底部に届いているので該容器を傾けて片寄せた内容物を残さずに飲むことができる。しかし、挿入部２に刺し込んだストローを口に咥えて吸引しながら飲んだり、他の哺乳瓶やコップに移し替える場合、内容物が外部に流出すると容器内は徐々に減圧してストローから内容物が出なくなるため、該容器を外側から押圧して内圧を高める必要がある。
飲用によって内容物が減った容器を逆さにすると、ストローの先端が飲料から露出して内容物が飲めなくなる。また、ストロー３は、断面が同一形状で挿入部２に単に刺し込んであるため、誤って外方に引張ると挿入部２から簡単に抜けて、内容物が容器から流出して洋服などを汚すおそれがあった。このように従来のストローの有する問題点に鑑みて改善したストローが、特開２００２−２４９１７２号や特開２００２−３５５１６１号に示されている。
図１に示す如く、紙などからなる押圧変形可能な容器２０に設けた挿入部３６に挿入する改良型のストロー４ａは、該容器内に一定以上挿入しないよう略中間部に任意形状の係止部６を設け、挿入部３６に掛止してある。係止部６から容器２０を形成する素材の厚みＷと略同じ間隔を隔てた位置に通孔７、また、ストロー先端に斜状の開口部８を夫々設けてある。通孔７は１個でも複数個でもよい。この容器内の飲料は、ストローの開口部８の他に、通孔７から流出させて飲むことができる。
挿入部３６に刺し込んだストロー４ａから内容物をコップや哺乳瓶に移し替える場合、ストローの係止部６に接近して１又は２以上の通孔７を設けてあるため、容器２０内の飲料は、開口部８または通孔７から取込んで他の容器に移し替えることができる。この場合、従来の長いストローだと、容器内の飲料が減少するとストローの先端が飲料外に露出して内容物を飲めなくなるが、図１に示すストロー４ａは、先端に設けた開口部８の他に、容器２０の壁面に接近して通孔７を設けてあるので、容器を逆さにすれば内容物を最後まで飲んだり、移し替えることができる（図１４）。
上記改良ストロー４ａの原理を利用した図２〜４に示す他の改良型ストロー４ｂの先端は、容器に設けた挿入部３６に刺し込みやすくするためテーパー状をした先細筒１１の先端に斜状の開口部８ａを設け、中間部分には一定範囲で伸縮可能で折曲可能な蛇腹部１０と挿入部３６に刺し込んだストロー４ｂが簡単に脱出しないように、外径を略テーパー状にしてストッパー機能を有する係止部６ａ及び段部６ｂを設け、該係止部に接近して通孔７ａを設けてある。図３に示すストローは、係止部６ａの最大外径部に連続して垂直な段部６ｂをストロー外周面に設けてあり、図４に示すストローは係止部６ａの最大外径部に連続した補強機能を有する筒状部６ｃの端部から垂直に設けた段部６ｂをストロー外周面のベース部１２に連続して設けてある。
容器２０の内容物が減少してストロー４ｂ先端の開口部８ａが飲料外に露出すると（図１４）、内容物は通孔７ａからストロー内に進入する。即ち、該容器２０の底面部を上方にして挿入部３６に刺し込んだストロー４ｂを口にくわえて吸い込めば最後まで飲用することができる。また、コップや哺乳瓶に内容物を移し替える場合は、残量が減ってストローの開口部８ａが飲料外に露出しても通孔７ａから内容物を取り込めるので他の容器に移し替えることができる。
従来の紙パック容器１の代表的なものを図１６に示すが、内面にアルミ箔やポリエチレン樹脂などの耐水薄膜１３（図１４）を設けた厚紙材を筒状に形成し、その上下端縁を密着させて方形箱型に折り曲げ、両側面部の上下左右に夫々突出させた三角突部を下方に折り曲げ、側面部及び底面部に接着結合して全体を矩形箱型に組立ててある。
【発明の開示】
紙パック容器１の上面部９に設けた挿入部２を密封している耐水膜は、ストロー３を刺し込むと該ストローの外周面に密着して外部に対して密封し、該ストローを口に咥えて吸引すると内容物の減少に応じて容器１の内部に生じる負圧により、該容器は外方から押圧されて変形する。その後、ストロー３から口を離すと該負圧により外気を内部に取り込んで元の状態に復帰し、再びストローを口に咥えて吸引し、之を繰返しながら内容物を飲むものである。一般的に、容器内の内容物はストローを口に咥えて吸引力により飲用するのが普通である。
しかし、清涼飲料などのように水溶液でなく、ゼリー飲料のように粘度を有する粘性流体の内容物の場合は、ストローで飲用するには強い吸引力を必要とする。そのため、乳幼児や病人や老人など体力が弱いと強い吸込力を出せないので、内容物を飲用することが困難であった。
さらに、軟らかい樹脂部材、例えばポリエチレンやアルミ箔などの柔軟な部材で形成して絞り込み可能な容器を手で保持して絞り込みながら中身のゼリー飲料を押し出す容器もある。この場合、吸引力は必要ではないが、絞り込むという強い力を必要とする上、容器の材料コストがかかり、その上、飲み終わった後の容器は、分別を必要とするためごみ処理に手間がかかる等という問題点を有していた。
本発明は、押圧変形可能な紙パック容器の外側から押圧して折畳み、吸込力を必要とすることなく中身の内容物を最後まで飲用し、また、他の容器に移し替えることができる紙パック容器及びストローを提供することを目的とする。
本発明は、内面に耐水薄膜を設けた厚紙材を筒状に形成し、その上下端縁を密封し、これを折り曲げて、それぞれ対向する上面部３５及び底面部２４、前面部３０及び後面部３８、並びに１対の側面部２５、２５を形成すると共に、上方に位置して左右に突出させた三角突部２１、２１を側面部２５、２５に密着し、下方に位置して左右に突出させた三角突部２２、２２を底面部２４に密着して方形箱型に成形してなり、前記上面部３５にストロー挿入用の挿入部３６を設けた紙パック容器であって、前記上方三角突部２１、２１を側面部２５、２５に加熱加工により弱く接着結合させることを特徴とする。この三角突部は側面部に弱く接着してあるので、爪を痛めることなく該側面部から容易に剥すことができ、該容器の側面部の上方部分を容易に折畳んで内容物を押し出すことができる。
また本発明は、内面に耐水薄膜を設けた厚紙材を筒状に形成し、その上下端縁を密封し、これを折り曲げて、それぞれ対向する上面部３５及び底面部２４、前面部３０及び後面部３８、並びに１対の側面部２５、２５を形成すると共に、上方に位置して左右に突出させた三角突部２１、２１を側面部２５、２５に密着し、下方に位置して左右に突出させた三角突部２２、２２を底面部２４に密着して方形箱型に成形してなり、前記上面部３５にストロー挿入用の挿入部３６を設けた紙パック容器であって、前記上方三角突部２１、２１を側面部２５、２５にフィルム４０で密封包装させることを特徴とする。このフィルムを破ることにより三角面部を側面部から剥せるので、該容器の側面部の上方部分を折畳んで内容物を押し出すことができる。
また本発明は、内面に耐水薄膜を設けた厚紙材を筒状に形成し、その上下端縁を密封し、これを折り曲げて、それぞれ対向する上面部３５及び底面部２４、前面部３０及び後面部３８、並びに１対の側面部２５、２５を形成すると共に、上方に位置して左右に突出させた三角突部２１、２１を側面部２５、２５に密着し、下方に位置して左右に突出させた三角突部２２、２２を底面部２４に密着して方形箱型に成形してなり、前記上面部３５にストロー挿入用の挿入部３６を設けた紙パック容器であって、前記１対の側面部２５、２５に、側面部２５、２５と底面部２４のなす交線である底辺部２６、２６を底辺とした二等辺三角形状の三角面部２７ａ、２７ａを画定する逆Ｖ型折目２７、２７と、三角面部２７ａ、２７ａの頂部２８、２８から上方三角突部２１、２１の頂部２３、２３に向かって延在する縦折目２９、２９とを具えることを特徴とする。このように上下端縁を密封した方形箱型の対をなす側面部に設けた縦折目と、下方に設けた逆Ｖ型折目の頂部を連結して設けてあるので、側面部の下部に設けた三角面部を外方に突出させて該側面部を二つ折りに平坦状に折畳んで内容物を外部に押し出すことができる。
また本発明は、前記三角面部２７ａ、２７ａの両頂部２８、２８を通り、底面部２４に平行な第１水平折目３１を具えることを特徴とする。そのため、この方形箱型の底面部の手前部分を第１水平折目から前面部上に平坦状に折畳むことができる。
また本発明は、前記第１水平折目３１が、前面部３０及び後面部３８の少なくとも一方を通ることを特徴とする。この第１水平折目３１は前面部３０に設けてもよいし、また後面部３８に設けても同様に作用する。
また本発明は、前記第１水平折目３１と底面部２４との間の距離ｄ１が、底面部２４の幅ｗ１の１／２であることを特徴とする。そのため、底面部２４の手前側部分が第１水平折目３２を内側にして前面部３０上に平坦状に折畳むことができる。
また本発明は、前記第１水平折目３１から底面部２４の幅ｗ１の自然数倍の距離を存し、かつ第１水平折目３１に平行な少なくとも１本の補助折目３２を具えることを特徴とする。このように大型の容器の場合には、前面部３０に補助折目３２を設ければ、前面部３０上に平坦に折畳んだ底面部２４を順に折り曲げながら内容物を上方に移動させてストローから外部に押し出すことができる。
また本発明は、前記上方三角突部２１、２１の両頂部２３、２３を通り、上面部３５に平行な第２水平折目３４を具えることを特徴とする。そのため、上方の三角突部２１，２１を側面部２５，２５から剥すことなく前面部に設けた第２水平折目３４を内側にして上面部３５の手前側半分を該前面部３０上に平坦状に折畳んで、内容物を外部に押し出すことができる。
また、本発明は、前記第２水平折目３４と上面部３５との間の距離ｄ２が上面部３５の幅Ｗ２の１／２であることを特徴とする。そのため、上面部３５の手前側部分が第２水平折目３４を内側にして前面部３０上に平坦状に折畳むことができる。
また本発明は、前記挿入部３６は上面部３５の後面部側に設けられており、前記第２水平折目３４は前面部３０を通ることを特徴とする。
また本発明は、粘度が１０ｍＰａ・ｓ以上の内容物が充填されていることを特徴とする。清涼飲料水などの場合は，粘度が低いので弱い吸引力でも吸引できるが、粘度の高い内容物例えばお粥などの場合は強い吸引力が出ないと内容物を吸引することが困難である。そのため本発明は、強い吸引力を必要とする例えば、１０ｍＰａ・ｓ以上の粘度の高い内容物を食する場合にも、吸引力を必要とせずに外部からの押圧力だけで容易に食することができる。
また本発明は、ストロー挿入用の挿入部３６を有した押圧変形可能な容器２０の該挿入部に着脱可能に装着されるストロー４ｂであって、円管状のベース部１２と、前記容器の内面に係止してストローの脱出を防止する係止部６ａと、該係止部に隣接した少なくとも１個の通孔７ａとを有し、該通孔の開口面積の合計がベース部の直径方向断面積と同等以上であることを特徴とするストローである。
また本発明は、前記係止部６ａが、その外径が飲み口側から通孔側に向って漸減するテーパー部を有することを特徴とするストローである。
また本発明は、前記係止部６ａがテーパー部の最大外径がベース部１２の外径とストロー管壁の厚さとの和より小さく、ベース部の外径より大きく設けてあることを特徴とするストローである。
本発明は、折畳可能な容器と粘度流体から成る内容物の流出を容易にする紙パック容器及びストローであって、押圧変形可能な容器の内容物を飲用するため、該容器の挿入部に刺し込んだストローを口で吸引しなくても、又は、吸引することができなくてもこの容器を平坦状に折畳めるように案内用の折目を設け、該容器を外側から押圧して平坦状に変形させて内容物をストローから外部に押し出すことができる。粘度の高い流体からなる内容物を飲用するには、強い吸込力を必要とするが、乳幼児や老人や病人など体力が無いため強い吸引力を出せない人でも、該容器を外方からの押圧力で内容物を外部に流出させて飲用することができる。
【図面の簡単な説明】  図１は第１のストローの断面図、図２は第２のストローの平面図、図３は図２の要部拡大断面図、図４はストローの他の実施例を示した要部拡大断面図、図５は本発明に係る紙パック容器の斜視図、図６は容器上方の三角突部を上方に折り返した状態の正面図、図７はストローを挿入部に刺し込んで容器の上面部をなす前面部と後面部を夫々平坦に密着させた状態の正面図、図８は容器底面部の前側半分を第１水平折目から手前側に折畳んで平坦状にした状態の平面図、図９は補助折目から底面部を手前側上方に折畳んで平坦状にした状態の平面図、図１０は第２補助折目から底面部を手前側上方に折畳んで平坦状にした状態の平面図、図１１は第２の実施形態の紙パック容器の斜視図、図１２は同容器を平坦に折畳んだ状態の平面図、図１３は図１２の裏面図、図１４は容器の挿入部にストローを刺し込んだ状態の断面図、図１５は紙パック容器を３ケまとめて透明フィルムで包装した状態の側面図、図１６は従来の紙パック容器の斜視図である。
【発明を実施するための最良の形態】  以下、本発明の実施形態を添付した図面により詳細に説明する。
図５に示した押圧変形可能な容器２０について説明すると、内面に耐水薄膜１３（図１４）を設けた厚紙材を筒状に形成し、その上下端縁を密封して折り曲げて設けた方形箱型１５の対をなす両側面部２５，２５と、前面部３０及び後面部３８とを設け、該前面部及び後面部の上下を平坦に折畳んで左右に突出させて三角面部２１，２１、２２，２２をそれぞれ形成してある。下方の三角突部２２，２２は夫々下方に折り曲げて底面部２４の下面に接着結合させてある（図６）。さらに、上方の三角突部２１，２１は下方に折り曲げて側面部２５，２５に弱く加熱接着してある（図６）。
前記容器２０を構成する方形箱型１５に設けた対をなす側面部２５，２５の下方には、底面部２４の端縁である底辺部２６，２６と、該底辺部を底辺にして直角二等辺三角形の稜線の頂部を結んだ逆Ｖ型折目２７，２７とで設けた三角面部２７ａ、２７ａを設けてある。さらに、該逆Ｖ型折目の頂部２８，２８と側面部の中間部分に上下方向に設けた縦折目２９，２９とを連結し、縦折目２９，２９の上端は側面部の上端まで設けてある。さらに、前面部３０には下方から順に第１水平折目３１、補助折目３２，３３を底面部２４とそれぞれ平行に形成し、さらに、上面部３５にはストローを刺し込む挿入部３６を設けてある。
押圧変形可能な容器２０の上面を底面部２４と略平行な平坦にした上面部３５の左右に突出した三角突部２１，２１を下方に折り曲げて両側面部２５，２５に密着させるか、または、加熱加工により該三角突部２１，２１を該側面部に弱く接着させる。即ち、加熱温度または加熱時間を調整すれば接着強度を自由に調整することができる。具体的には、体力の弱い乳幼児や病人でも容易に三角突部２１，２１を剥すことができるように、接着強度を好ましくは１５Ｎ／１５ｍｍ以下、より好ましくは１０Ｎ／１５ｍｍとする。この三角突部２１，２１は、下方に折り曲げて側面部２５，２５に密着させ、その外側から例えば透明なフィルム４０で密封包装して、前記容器２０の上方に位置する側面部２５，２５を補強する。
図１５に示すように、前記容器２０を３個透明なフィルム４０で包装して１パックにまとめて取扱い易くする場合、該フィルムで上方の三角突部２１，２１を各側面部２５，２５に密着して該側面部の上方を補強する。また、前記容器２０が１個で、該容器の外側を透明フィルム４０で包装しない場合は、該三角突部２１，２１を側面部２５，２５に加熱加工により弱く接着して側面部２５，２５の上方を補強する。
前記容器２０の下方で左右に突出した三角突部２２、２２は、底面部２４の下面に折り曲げて一体に接着してあり、該底面部の端縁に位置する底辺部２６，２６によって側面部２５、２５の下部は補強される。このように上下の三角突部２１，２１、２２，２２によって容器２０の両側面部２５，２５は補強され、方形箱型１５を維持できる。
透明なフィルム４０を破いて側面部２５，２５に密着している上方の三角突部２１，２１を剥し、または、該側面部２５に弱く接着している上方の三角突部２１、２１を、マニキュアした長い爪で剥す場合は弱い力でよいので、マニキュアが剥れたり、長い爪が割れたりすることはない。該三角突部２１，２１を上方に折り返して水平にする（図６）と、該側面部２５の上方部分の幅方向の強度が失われる。そのため、容器の上部両角部Ａ，Ａ（図５）をそれぞれ外方から押圧すると、該側面部の上方は縦折目２９，２９を外方にして二つ折りに折畳まれ、三角突部２１，２１が解消して前面部３０と後面部３８は縦折目２９，２９から二つ折りされて平坦状になり、外方から加えられた押圧力によって容器の上方部分は平坦に変形し、内容物をストロー４ｂから外部に押し出すことができる（図７）。
内容物は、清涼飲料のように粘度が低いと吸引力が弱くても吸引できるが、お粥のようなゼリー状食品の粘度の上限は１００万ｍＰａ・ｓであり、その下限は１０ｍＰａ・ｓ以上であることが適当である。即ち、このように粘度の濃い内容物の場合、病人や老人など強い吸引力でストローを吸引しないと内容物を食することはできないが、本発明では吸引力は必要なく、容器を外部から押圧することにより内容物を押し出すことができる。そのため、本人以外の介助者が容器を押圧して内容物を食べさせることもできる。
容器の側面部２５，２５の下方に設けた逆Ｖ型折目２７，２７の該頂部２８，２８を通る水平線Ｓ、Ｓと前面部３０との交点を結んで底面部２４と平行な第１水平折目３１を前面部３０の下方に設けてあるため、容器の底面部２４の手前側の両角部Ｂ、Ｂを斜め上方に押圧すると、折目３１を内側にして該底面部の手前側略半分は前面部３０上に平担に折畳むことができる（図８）。第１水平折目３１を内側にして底面部２４の幅Ｗ１の手前部分の半分を前面部３０上に折畳むと、側面部２５，２５の下方部分は、逆Ｖ型折目２７，２７が折畳まれ外方に突出した頂部２８，２８を有する三角面部２７ａ，２７ａは底面部２４の両側外方に突出する。
底面部２４及び該底面部の両側に位置した各三角面部２７ａは、該底面部２４と一体の底面部分となって、第１水平折目３１を内側にして折畳まれた該底面部の手前部分は前面部３０上に平坦状に折畳まれ、前記頂部２８，２８に連結する縦折目２９，２９は外方に突出し、側面部２５，２５は二つ折りに折畳まれて前面部３０と後面部３８とは平坦に折畳まれ、内容物は挿入口３６に挿入したストローから外部に流出する。
底面部２４と平行に設けた第１水平折目３１は前面部３０に設けられ、該折目３１と底面部２４との距離は、底面部２４の横幅ｗ１の半分の長さｄ１の距離に設けてあるので、第１水平折目３１を内側にして折畳んだ底面部２４の手前側半分は、前面部３０上に平坦状に折畳まれる（図８）。
前記容器の前面部３０に設けた第１水平折目３１と平行で、且つ、底面部２４の横巾ｗ１と略同じ距離に補助折目３２を設け、さらに、容器２０が長い場合には必要に応じて第２の補助折目３３を設け、底面部２４を同一方向に順に折畳んで容器内の内容物を押し出すようにしてもよい（図１０）。
上記のように、両側面部２５，２５の中間部分に垂直方向に設けた縦折目２９，２９と、下方の逆Ｖ型折目２７，２７の頂部２８，２８とを連結して設けてあるので、上方の三角突部２１，２１を側面部２５，２５から離して略水平にした後（図６）、上方の両側端角部の各交点Ａ，Ａ、Ａ，Ａを外方から押圧して折畳み、また、下方の手前側の両角部Ｂ、Ｂを斜め上方に押圧すると、図８に示した第１水平折目３１を内側にして底面部２４は平坦状に折畳まれる。前面部３０には下方から夫々第１水平折目３１、補助折目３２，３３を設けてあるので、両側面部２５は前記縦折目２９を外方に突出して二つ折りに折畳んで平坦にすると共に、第１水平折目３１を内側にして底面部２４の幅ｗ１の手前側半分を前面部３０上に平坦状に折畳み、内容物を押し出すことができる。
本発明の他の実施形態を図１１に基づいて説明すると、容量が１００〜１２５ｍｌ程度の小型の押圧変形可能な容器２０ａは、図５と略同じ形状で折目が多少相違し、筒状に形成した厚紙材の上下端を密封して方形箱型１５に折り曲げて両側面部２５，２５と前面部３０と後面部３８とを設け、該方形箱型１５の上下を平坦に形成してある。前記容器２０ａの上下を左右に突出して設けた上下の三角突部２１，２１及び２２，２２（図８）をそれぞれ下方に折り曲げ、上方の三角突部２１，２１は側面部２５，２５に、また、下方の三角突部２２，２２は底面部２４の下面に夫々接着してある。なお、前記符号と同じ符号は同じものを表している。
方形箱型１５の下方には、底面部２４の端縁である底辺部２６を底辺にした直角二等辺三角形の稜線の頂部を結ぶ逆Ｖ型折目２７，２７の頂部２８，２８と、側面部２５，２５の中間に位置して垂直方向に設けた縦折目２９，２９とを連結してある。縦折目２９，２９の上部は上方の三角突部２１、２１の下部を通る水平線Ｔ、Ｔの一端と連結し、該水平線Ｔ、Ｔの他端と前面部３０との交点を結んで、底面部２４と平行な第２水平折目３４を前面部３０に設けてある。また、前記逆Ｖ型折目２７，２７の頂部２８，２８を通る水平線Ｓ、Ｓと前面部３０の交点を結ぶ直線上に設けた第１水平折目３１を前面部３０の下方に設けてある。尚、上面部３５に設けた挿入部３６は図５と相違して容器耳部３５ａを有する側と反対側に形成し、容器耳部３５ａの手前側の上面部３５は第２水平折目３４を内側にして前面部３０上に折畳まれても、挿入口３６を有する側の上面部は該折目３４を内側にして折畳まれる側ではないので、該挿入口に挿入したストローに無理な力は加わらない。
容器２０ａ内の内容物を食する場合、挿入部３６にストローを挿入し、該ストローの端部を口に咥えて該容器の前面部３０と後面部３８の上部両側を下方に、また、下部手前側両端を上方に外側から押圧すると、側面部２５、２５はその中間に設けた縦折目２９、２９が外方に突出して二つ折りに折畳まれて平坦状になり、内容物を挿入部３６に挿入したストローから外部に押し出すことができる。
容器２０ａは、前面部３０の上方に設けた第２水平折目３４と、下方に設けた第１水平折目３１を夫々内側にして折畳むと、上面部３５及び底面部２４は前面部３０上に平坦状になって容器を外部から押圧して内容物を外部に押し出すことができる。容器２０ａは、図１２、１３に示すように、底面部２４と上面部３５は平坦状になって前面部３０上に折畳まれ容器の内部は狭められる。この場合、前面部３０と後面部３８を外方から押圧すると、第２水平折目３４を内側にして上面部３５の幅Ｗ２の手前側半分は上面部３０上に折畳まれ、また、第１水平折目３１を内側にして底面部２４の手前側半分は前面部３０上に折畳まれ、該容器２０ａは平坦状に折畳まれる。容器の裏面図は、図１３に示すように後面部３８は平面状となり、容器は平坦状に押し潰されて吸引力を必要とすることなく外部からの押圧によってストロー４ｂから押し出すことができる。特に、容器が１００ｍｌ又は１２５ｍｌ程度の小型の場合には、前面部３０に図５に示すように補助折目３２，３３を設ける必要はない。このように第１の実施態様と異なり、三角突部２１，２１を側面部２５から剥す必要が無いので，爪などを痛めることがないし、指先が自由にならない病人、老人、幼児などにとって便利である。
このように、容器２０を外側から押圧して平坦状に折畳むことにより、体力の弱い病人や老人や幼児などが吸込力を必要とすることなく粘度の高い内容物をストローから容器外部に押出して安心して食することができる。ここで、押圧変形可能な容器とは、紙パック容器、プラスチック容器などで外部から押圧することにより平坦状に折畳まれる部材で形成した容器一般を意味している。
本発明の実施形態のストローについて説明すると、紙材や合成樹脂材により筒状に形成してあり、ストローの中間部には飲み口側から折曲可能な蛇腹部１０と先端側に向って漸減するテーパー部をした係止部と、係止部６ａに接して設けた通孔７ａと、先細筒１１と、開口部８ａとを夫々設けてある。このストローの先端に設けた先細筒１１は，挿入部３６に刺し込む際に，中心から少しずれて刺し込んでもテーパー部にガイドされ，正しく刺し込むことができる。この通孔７ａは、ストローの直径方向断面積と同等以上の開口面積を有している。ここで、開口面積とは、ストローの外周面を展開した平面上の面積をいう。即ち、ストローに設けた通孔の開口面積の大きさが該ストローの断面積未満の場合には、押し出しに要する力が過大となってしまうおそれがある。また、ストロー強度を確保する観点から、通孔の開口面積はストローの断面積の３倍以下とすることが好ましい。
ストローの係止部６ａは、飲み口側から通孔７ａ側に向って外径を先細状になるようテーパー部に形成してある。そして、該係止部の最大外径は、ストローの外径とストローの管壁厚との和より小さいことが必要である。例えば、ストローの外径は６．３ｍｍであって、その管壁厚は１ｍｍであり、両者の和であるその最大外径の寸法は７．３ｍｍである。そして、係止部６の最大外径が数値７．３ｍｍ以上の場合には、ストローの係止部６ａを容器の挿入部３６に刺し込めないという製造上の問題が発生する。また、係止部６ａの最小外径は、ストロー外径６．３ｍｍより短いことが必要である。このように、係止部６ａに飲み口側から通孔側に向って漸減するテーパー部を設けてあるので挿入部３６に挿入しやすく、いったん挿入されると抜け難いという効果を有する。
【実施例】  紙パック容器２０の内部に粘性流体を３０ｍｌ詰め、該容器に一定の外圧５ｋＰａを加え、３０ｍｌの内容物が全て流出するまでの時間を計測すると、以下のような結果を得た。ここで、従来のストローの断面外径は５ｍｍ又は６ｍｍであり、管壁厚は１．０ｍｍである。之に対し、本発明のストローの外径は６．３ｍｍである。
従来のストロー          ４秒
本発明のストロー        ２秒
ストローを用いて粘性流体からなる内容物を飲用する場合、本発明に用いたストロー４ｂは、従来のストロー３に比べて半分の時間に短縮することができた。
【図１】
2005014430.tif 000003
【図２】
2005014430.tif 000004
【図３】
2005014430.tif 000005
【図４】
2005014430.tif 000006
【図５】
2005014430.tif 000007
【図６】
2005014430.tif 000008
【図７】
2005014430.tif 000009
【図８】
2005014430.tif 000010
【図９】
2005014430.tif 000011
【図１０】
2005014430.tif 000012
【図１１】
2005014430.tif 000013
【図１２】
2005014430.tif 000014
【図１３】
2005014430.tif 000015
【図１４】
2005014430.tif 000016
【図１５】
2005014430.tif 000017
【図１６】
2005014430.tif 000018
【国際調査報告】
2005014430.tif 000019
2005014430.tif 000020
2005014430.tif 000021
2005014430.tif 000022
2005014430.tif 000023
2005014430.tif 000024